(57)【要約】      （修正有）【課題】十分な挟着力が長期間にわたり得られるとともに、不要な重さが軽減された装着感の良いイヤリングを提供する。【解決手段】主装飾部材１２と副装飾部材１１のいずれか一方側に回動脚部１２１、他方側に回動基部１１１を形成するとともに、前記回動基部端縁に形成された嵌入凸部を前記回動脚部端縁に形成された嵌入凹部に嵌入させるとともに、前記嵌入凹部に設けられた孔から前記嵌入凸部の中心部に設けられた孔に軸部を貫通させ加締めてなるイヤリングであって、前記嵌入凸部は、前記回動基部の縦方向の長さを略外径とする円玉であって、回動方向にその外周面の幅が異なるように形成され、前記嵌入凹部の間口の幅が回動方向に異なるように形成され、所定の位置から前記回動基部と前記回動脚部とが相対的に回動する際に、前記嵌入凸部が、前記嵌入凹部の側面に直接当接し挟着力が生じるとともに、回動状態にかかわらず前記嵌入凸部が前記嵌入凹部に収納されるように構成する。【選択図】図１
0003225307.tif 000002
【実用新案登録請求の範囲】
【請求項１】
主装飾部材と副装飾部材のいずれか一方側に回動脚部、他方側に回動基部を形成するとともに、前記回動基部端縁に形成された嵌入凸部を前記回動脚部端縁に形成された嵌入凹部に嵌入させるとともに、前記嵌入凹部に設けられた孔から前記嵌入凸部の中心部に設けられた孔に軸部を貫通させ加締めてなるイヤリングであって、
前記嵌入凸部は、前記回動基部の縦方向の長さを略外径とする円玉であって、回動方向にその外周面の幅が異なるように形成され、
前記嵌入凹部の間口の幅が回動方向に異なるように形成され、
所定の位置から前記回動基部と前記回動脚部とが相対的に回動する際に、前記嵌入凸部が、前記嵌入凹部の側面に直接当接し挟着力が生じるとともに、回動状態にかかわらず前記嵌入凸部が前記嵌入凹部に収納されていることを特徴とするイヤリング。
【請求項２】
前記円玉の外周側面に突起部が形成され、前記突起部が前記嵌入凹部の側面に直接当接し挟着力を生じることを特徴とする請求項１に記載のイヤリング。
【考案の詳細な説明】
【技術分野】
【０００１】
本考案は、イヤーカフ、イヤーチャーム等のいわゆるイヤリング（耳飾り）に関し、特に、耳たぶ等に孔を開けることなく、最適な挟着力により、違和感なく長期間の使用に耐えられるイヤリング、及びイヤリングの挟着方法に関する。
【背景技術】
【０００２】
イヤリングは耳たぶを挟んで固定することで、耳たぶから脱落することを防止している。例えば、特許文献１には、一方の主装飾体と他方の挟着部材とに一対の取付脚部と取付基部とを形成するとともに、前記一対の取付脚部と取付基部との間に１枚もしくは２枚の平滑な金属板材を介装してこれらを軸着するとともに、前記金属板材とともに該軸部を加締めてなるイヤリングであって、前記取付基部は前記金属板材の面積よりも細い幅に形成されており、一方の主装飾体と他方の挟着部材とにそれぞれ形成された取付脚部と取付基部とが相対的に回動する際、前記金属板材にかかる負荷が前記取付基部の幅方向の端縁との係合部分にかかるように構成されたイヤリングが開示されている。
【０００３】
しかし、特許文献１に記載のイヤリングは、取付基部の外部に円形金属板を配置し、円形金属板と当接部分にかかる負荷で円形金属板が内向きにたわみ、そのたわみの部分が取付基部の端縁と係合することで挟着力を維持している。
【０００４】
即ち、特許文献１が開示する技術には取付基部の両側に配置する円形金属板が必要であり、また円形金属板を金やプラチナ等の貴金属でつくるとイヤリングの価格が高くなるという問題がある。また円形金属板の自重によりイヤリングが重くなるという問題もある。さらに、円形金属板をステンレス等の非貴金属を使用した場合には、円形金属板が外部から見えないように工夫が必要である、という問題がある。
【０００５】
特許文献２には、装飾部材と回動装飾材の基端部の何れか一方側に回動脚部と他方側に回動基部を形成し、一対の回動脚部と回動基部の間に一対の金属薄板をそれぞれ介在させ、かつ軸部で加締めて構成したイヤリングであって、前記金属薄板は多角形状に形成され、かつ当該金属薄板の一面を膨出させてアール面を形成すると共に、前記回動基部の側面幅を前記金属薄板の多角形の外接円直径より長く形成して、前記金属薄板の外周縁部が回動基部の側面幅より露出することなく、一対の回動脚部と回動基部の圧接面に前記金属薄板の外縁部を圧接させたことを特徴とするイヤリングが開示されている。
【０００６】
特許文献２が開示する技術は、特許文献１と同様に一対の回動脚部と回動基部の間に一対の金属板を介在させ、かかる金属板と回動脚部との摩擦力により挟着力を得るものである。特許文献１の金属板が円形であるのに対し、特許文献２の金属板は多角形であり、また、特許文献１では回動基部の幅を円形金属板材の直径よりも細い幅にしているのに対し、特許文献２では回動基部の側面幅を多角形の外接円直径よりも長く形成している、という違いがある。
【０００７】
しかし、特許文献２が開示する技術は、特許文献１が開示する技術と同様に取付基部の両側に配置する金属板が必須であり、特許文献１と同様に金属板を金やプラチナ等の貴金属でつくるとイヤリングの価格が高くなるという問題がある。また金属板の自重によりイヤリングが重くなるという問題もある。さらに、円形金属板をステンレス等の非貴金属を使用した場合には、円形金属板が外部から見えないように工夫が必要である、という問題がある
【先行技術文献】
【特許文献】
【０００８】
【特許文献１】特許第４５９２１１６号公報
【特許文献２】特開２０１２−１７０７６６号
【考案の概要】
【考案が解決しようとする課題】
【０００９】
そこで本考案の課題は、十分な挟着力が長期間にわたり得られるイヤリングであって、不必要な部品点数を減ずることで、価格を低廉にするとともに軽いイヤリングにすることで、違和感なく装着でき、かつ長時間にわたり装着感の良いイヤリングを提供することにある。
【課題を解決するための手段】
【００１０】
上記課題を解決するため請求項１に記載の考案は、主装飾部材と副装飾部材のいずれか一方側に回動脚部、他方側に回動基部を形成するとともに、前記回動基部端縁に形成された嵌入凸部を前記回動脚部端縁に形成された嵌入凹部に嵌入させるとともに、前記嵌入凹部に設けられた孔から前記嵌入凸部の中心部に設けられた孔に軸部を貫通させ加締めてなるイヤリングであって、
前記嵌入凸部は、前記回動基部の縦方向の長さを略外径とする円玉であって、回動方向にその外周面の幅が異なるように形成され、
前記嵌入凹部の間口の幅が回動方向に異なるように形成され、
所定の位置から前記回動基部と前記回動脚部とが相対的に回動する際に、前記嵌入凸部が、前記嵌入凹部の側面に直接当接し挟着力が生じるとともに、回動状態にかかわらず前記嵌入凸部が前記嵌入凹部に収納されていることを特徴とするイヤリングである
【００１１】
請求項２に記載の考案は、請求項１に記載のイヤリングであって、前記円玉の外周側面に突起部が形成され、前記突起部が前記嵌入凹部の側面に直接当接し挟着力を生じることを特徴とする。イヤリングが開いた状態では前記凸部の幅広部分が前記嵌入凹部の幅広部分に対応し嵌合し、イヤリングが閉じられると嵌入凹部にテーパがついているため嵌入凸部が嵌入凹部と当接し狭着力が生じる。
【考案の効果】
【００１２】
本考案によれば、十分な挟着力が長期間にわたり得られるとともに、不要な重さを軽減でき装着感の良いイヤリングを提供することができる。また、部品点数の少ないイヤリングを提供することができる。
【図面の簡単な説明】
【００１３】
【図１】本考案の一実施例である耳飾りが開いたときの状態を示した図である。
【図２】本考案の一実施例である耳飾りが閉じたときの状態を示した図である。
【図３】本考案のイヤリングの第１の実施例を示した図である。
【図４】本考案の一実施例である副装飾部材１１の平面と側面を示した図である。
【図５】本考案の一実施例である主装飾部材１２の平面、断面を示した図である。
【図６】本考案の一実施例である嵌入凹部１２２に嵌入凸部１１２を嵌入させる前後の様子を示した断面図である。
【図７】本考案の一実施例である回動脚部１２１と回動基部１１１とが嵌合したときの状態を示した図である。
【図８】本考案の第２の実施例である回動脚部と回動基部を示した図である。
【図９】本考案の第３の実施例である回動脚部と回動基部とを示した図である。
【図１０】本考案の一実施形態であるイヤリングを耳たぶEに装着したときの様子を示した図である。
【考案を実施するための形態】
【００１４】
本考案の実施の形態について、図面を参照して詳細に説明するが、本考案はこれに限定されるものではない。図１０は本考案の一実施形態であるイヤリングを耳たぶEに装着したときの様子を示した図である。本考案のイヤリングは、装着に違和感がなく、長時間にわたり狭着力が得られるように構成されている。
【００１５】
図１は本考案の一実施形態であるイヤリング１を耳たぶに装着する前の状態、即ちイヤリングを開いたときの状態を示した図である。イヤリング１は主装飾部材１２と副装飾部材１１とから構成されており、主装飾部材１２は装飾物１２５を保持するとともに、その端部で回動基部１１１の端部と接合し（図１のＡで示す部分）、軸部２０（図２参照）を中心として副装飾部材１１と相対的に回動するように構成されている。
【００１６】
副装飾部材１１は、装飾物１１５を保持するとともに、その端部で回動脚部１２１と接合し、軸２０（図２参照）を中心として、主装飾部材１２と相対的に回動できるように構成されている。
【００１７】
図２はイヤリング１が軸部２０を中心に回動することで、図１に示すイヤリング１が開いた状態から閉じた状態になったときの様子を示した図である。このようにイヤリング１を閉じることで耳たぶEにイヤリング１を装着するが、装着時に違和感がなく、かつイヤリングが耳たぶEから容易に脱落するのを防止するための構造が本考案の特徴とするところである。本考案の一実施の形態について、以下実施例により説明する。
【実施例１】
【００１８】
図３は本考案のイヤリングの第１の実施例を示した図である。図３（ａ）に示すように主装飾部材１２の回動脚部１２１の端縁には、回動脚部端縁１２３が形成され、これらに挟まれるように嵌入凹部１２２が形成されている。この嵌入凹部１２２には、副装飾部材１１の端縁に形成されている嵌入凸部１１２が嵌入される。
【００１９】
図３（ｂ）は主装飾部材１２の斜視図であり、図３（ｃ）は副装飾部材１１の斜視図である。主装飾部材１２の端部は、図３（ｂ）に示すように回動脚部１２１と回動脚部端縁１２３、嵌入凹部１２２、軸孔１２４から構成されている。
【００２０】
図３（ｃ）に示すように副装飾部材１１の端部は、回動基部１1１とその端縁に形成された嵌入凸部１１２とからなり、嵌入凸部１１２は、本実施例では円形でその端部に突起部１１３を備え、中心に軸孔１１４が形成されている。嵌入凹部１２２は図３における上側（表側）の幅が広く形成されており、下側（奥側）にいくに従い、その幅が狭くなるように形成されている（図５（ｂ）参照）。嵌入凸部１１２と嵌入凹部１２２との幅は、イヤリングが開いた状態（図１）において、その幅が対応するように構成されている。副装飾部材１１と主装飾部材１２とは軸孔１１４と１２４を貫通する軸部２０を加締めて回動可能に接続される。
【００２１】
このようにイヤリング１が開いた状態ではスムースに嵌入凸部１１２が嵌入凹部１２２に嵌り、主装飾部材１２と副装飾部材１１との間に摩擦（ストレス）は生じていないが、イヤリング１を閉じると（図２に示すように状態）にすると、回動基部１１１と回動脚部１２１とが相対的に回動することで、嵌入凸部１１２の突起部１１３が嵌入凹部１２２の幅の狭い部分に嵌り込む（当接する）。これにより回動基部１１１と回動脚部１２１との間に摩擦が生じ、耳たぶEからイヤリング１が脱落を防止する狭着力が発生する。   
【００２２】
図４（ａ）は副装飾部材１１の平面図であり、図４（ｂ）は副装飾部材１１の側面図である。副装飾部材１１は、回動基部１１１とその端縁に形成された嵌入凸部１１２とから形成されている。嵌入凸部１１２の中心には軸孔１１４があり、回動脚部１２１の軸孔１２４と整合し、そこに軸部２０を貫通させ加締めることにより、副装飾部材１１と主装飾部材１２とが回動可能に接合する。
【００２３】
図５（ａ）は主装飾部材１２の平面図であり、図５（ｂ）は図５（ａ）に示すＸ−Ｘの断面図である。図５（ｃ）は図５（ａ）を右方向から見たときの断面図である。主装飾部材１２は回動脚部１２１とその端縁である回動脚部端縁１２３とその近傍に形成された嵌入凹部１２２とからなり、嵌入凹部１２２に嵌入凸部１１２が嵌るように形成されている。
【００２４】
嵌入凹部１２２は図５（ｂ）に示すように、下部に行くにしたがいその幅が狭くなるように（テーパがつき）形成されており、上部の幅は図４に示す突起部１１３間の幅とほぼ同じか、それより僅かに広く形成することが好ましい。また、嵌入凹部１２２の間口は、図５（ｃ）に示すように狭くなっており、その幅は嵌入凸部１１２の突起部１１３がない部分の幅とほぼ同じか、それより僅かに広く形成することが好ましい。そのように形成することでイヤリング１が開いた状態においては、互いにストレスなく嵌る状態になるからである。
【００２５】
図６（ａ）は回動脚部１２１の端縁に形成された嵌入凹部１２２に嵌入凸部１１２を嵌入させる前の様子を示した断面図であり、図６（ｂ）は軸孔１１４と軸孔１２４とを軸部２０を貫通させ加締めることにより、回動脚部１２１と回動基部１１１とが接合したときの様子を示した断面図である。
【００２６】
図７（ａ）は回動脚部１２１と回動基部１１１とが嵌合したときの状態を示した図である。イヤリング１が開いた状態（図１）においては、嵌入凸部１１２に形成された突起部１１３は、図７（ｂ）に示すように嵌入凹部１２２の上部（幅の広い部分）にあり、嵌入凹部１２２の内壁とは当接していないか、当接していても摩擦力はほとんど生じていない状態である。このため、主装飾部材１２と副装飾部材１１との間にはストレスがない。一方において、イヤリングを閉じると（図２）、回動基部１１１が回動脚部１２１と相対的に回動し、これにより突起部１１３が嵌入凹部１２２の奥に回入する。即ち、図７（ｂ）に示す状態から図７（ｃ）に示す状態となり、突起部１１３が嵌入凹部１２２の内壁と当接し、耳たぶＥを挟む狭着力を生じる。
【００２７】
このように嵌入凹部と嵌入凸部とを形成し嵌合させ、軸部２０により加締めることで副装飾部材１１と主装飾部材１２とを回動可能に接合させる。これによりイヤリング１を閉じると突起部１１３が回動し、嵌入凹部の奥側に嵌り込む。嵌入凹部は奥側が狭く形成されているので、突起部１１３が嵌入凹部と当接し狭着力を生じる。その結果、耳たぶに厚い薄いの個人差があっても快適な装着感のもと、耳たぶEからのイヤリング脱落を防止することができる。
【００２８】
図８は本考案の第２の実施例である図６に示す突起部１１３に代えて、副装飾部材１１−１の嵌入凸部１１２−１の全体にテーパをつけて形成したときの回動基部１１１−１と、主装飾部材１２−１の回動脚部１２１−１と、その端縁の回動脚部端縁１２３−１、嵌入凹部１２２−１の斜視図である。
【００２９】
イヤリング１が開いた状態においては、嵌入凸部１１２−１の幅広部分（幅X13）は嵌入凹部１２２−１の幅広部分（幅X13）に嵌合するためストレスがない。しかし、回動基部１１１−１が回動脚部１２１−１と相対的に回動することで、嵌入凸部１１２−１の幅広部分（幅X13）が嵌入凹部１２２−１の奥側の幅狭部分（幅X12）に回入する（嵌入凹部１２２−１は図５（ｂ）で説明したと同じように、下側（奥側）が狭くなっている）。このため、嵌入凸部１１２−１の広い幅の部分が、嵌入凹部１２２−１の幅の狭い部分に当接し狭着力を生じる。
【００３０】
図９は図３に示す突起部１１３を連続的に形成した場合の副装飾体１１−２と主装飾体１２−２の斜視図である。副装飾体１１−２は回動基部１１１−２と、嵌入凸部１１２−２、軸孔１１４−１とからなり、主装飾体１２−２は回動脚部１２１−２と、回動脚部端縁１２３−２、嵌入凹部１２２−２からなる。このように主装飾体１２−２と副装飾体１１−２とを構成することにより、イヤリング１を閉じると回動基部１１１−２が回動脚部１２１−２と相対的に回動することで、嵌入凸部１１２−２の幅広部分（X23）が嵌入凹部１２２−２の幅狭部分（X22）に嵌り込み狭着力を生じる。
【産業上の利用可能性】
【００３１】
本考案によれば、十分な挟着力が長期間にわたり得られるとともに、不要な重さが軽減された装着感の良いイヤリングを製造できる。
【符号の説明】
【００３２】
１    耳飾り
１１  副装飾部材
１２  主装飾部材
２０  軸部
１１１  回動基部
１１２  嵌入凸部
１１３  突起部
１１４  １２４  軸孔
１２１  回動脚部
１２２  嵌入凹部
１２３  回動脚部端縁
Ｅ  耳たぶ
【図１】
0003225307.tif 000003
【図２】
0003225307.tif 000004
【図３】
0003225307.tif 000005
【図４】
0003225307.tif 000006
【図５】
0003225307.tif 000007
【図６】
0003225307.tif 000008
【図７】
0003225307.tif 000009
【図８】
0003225307.tif 000010
【図９】
0003225307.tif 000011
【図１０】
0003225307.tif 000012